(57)【要約】【課題】  誰でも簡単に気軽に申し込みを行うことができるようにした巻き折り用申込用紙を提供する。【解決手段】  横方向に帯状の申込記入用紙と封筒用紙とが端部同士で重ね合わされ接着されて連接され、巻き折り加工を行なうことができる巻き折り用申込用紙であって、前記申込記入用紙は、巻き折り方向に対し直角方向に折り畳みミシン線が複数本形成され、前記複数本形成された折り畳みミシン線同士の間隔が、申込記入用紙を折り畳みミシン線から巻き折り可能な間隔を有し、前記封筒用紙は、前記巻き折り方向に対し直角方向に封書作成用の折り畳みミシン線が形成され、前記封筒用紙の前記封書作成用の折り畳みミシン線で区分けされた最端紙片上に封筒用紙が重ね合わされて、前記最端紙片の三方端部付近で接着されて封筒部が形成され、前記最端紙片の前記封筒部の開封側に沿って粘着剤層が設けられ、前記粘着剤層上に剥離紙が剥離可能に貼付されている。【選択図】        図１
2009269264.tif 000002
【特許請求の範囲】
【請求項１】
横方向に帯状の申込記入用紙と封筒用紙とが端部同士で重ね合わされ、その重ね合わされた部分で接着されて連接され、前記申込記入用紙及び前記封筒用紙に形成された折り畳みミシン線から折り畳むことで、巻き折り加工を行なうことができる巻き折り用申込用紙であって、
前記申込記入用紙は、前記巻き折り方向に対し直角方向に折り畳みミシン線が複数本形成され、前記複数本形成された折り畳みミシン線同士の間隔が、前記申込記入用紙を前記折り畳みミシン線から巻き折り可能な間隔を有し、前記封筒用紙は、前記巻き折り方向に対し直角方向に封書作成用の折り畳みミシン線が形成され、前記封筒用紙の前記封書作成用の折り畳みミシン線で区分けされた最端紙片上に封筒用紙が重ね合わされて、前記最端紙片の三方端部付近で接着されて封筒部が形成され、前記最端紙片の前記封筒部の開封側に沿って粘着剤層が設けられ、前記粘着剤層上に剥離紙が剥離可能に貼付されていることを特徴とする巻き折り用申込用紙。
【発明の詳細な説明】
【技術分野】
【０００１】
本発明は、帯状の申込記入用紙と、封筒用紙とが端部同士で接着され、前記各用紙に形成された折り畳みミシン線から折り畳み、巻き折り加工を行なうことができる巻き折り用申込用紙に関する。
【背景技術】
【０００２】
従来、入会申込書などの申込書を封書化させて郵送する場合には、図８に示すように、申込者側が不要部分の切り取りを行い、所定部分に糊付けを行なった後に巻き折りすることで、封書を作成することができるように構成された巻き折り加工用紙３０などが知られている。
このような巻き折り用紙については、既に種々の仕様のものが知られている。（例えば、特許文献１〜４参照）
【０００３】
【特許文献１】特開２００２−５４３２３号公報
【特許文献２】特開２００３−２００６８０号公報
【特許文献３】特開２００３−４３２７１５号公報
【特許文献４】特開２００６−４４０８０号公報
【０００４】
このような巻き折り加工用紙は、誰でも気軽に申し込みを行なえるようにするために、できるだけ簡単な方法で封書の作成を行えるようにした仕様とすることが好ましい。
つまり、指定された巻き折り加工用紙を使用して申し込みを行なう際に、その巻き折り加工用紙を用いて封書を作成する方法が、わかりにくかったり、面倒な方法である場合などには、顧客の申し込みをしようとする気持ちが失せてしまうこともあり、その結果として、主催者側が多くの顧客の申し込みを期待しても、申込書が原因で期待したような人数の申込者が集まらないことになるという問題が考えられる。
【発明の開示】
【発明が解決しようとする課題】
【０００５】
そこで、本発明は、巻き折りさせた状態で配布することができ、顧客が、誰でも簡単に気軽に封書化させて郵送で申し込みを行うことができるようにした巻き折り用申込用紙を提供する。
【課題を解決するための手段】
【０００６】
本発明の巻き折り用申込用紙は、横方向に帯状の申込記入用紙と封筒用紙とが端部同士で重ね合わされ、その重ね合わされた部分で接着されて連接され、前記申込記入用紙及び前記封筒用紙に形成された折り畳みミシン線から折り畳むことで、巻き折り加工を行なうことができる巻き折り用申込用紙であって、前記申込記入用紙は、前記巻き折り方向に対し直角方向に折り畳みミシン線が複数本形成され、前記複数本形成された折り畳みミシン線同士の間隔が、前記申込記入用紙を前記折り畳みミシン線から巻き折り可能な間隔を有し、前記封筒用紙は、前記巻き折り方向に対し直角方向に封書作成用の折り畳みミシン線が形成され、前記封筒用紙の前記封書作成用の折り畳みミシン線で区分けされた最端紙片上に封筒用紙が重ね合わされて、前記最端紙片の三方端部付近で接着されて封筒部が形成され、前記最端紙片の前記封筒部の開封側に沿って粘着剤層が設けられ、前記粘着剤層上に剥離紙が剥離可能に貼付されていることを特徴とする。
【発明の効果】
【０００７】
本発明の巻き折り用申込用紙は、折り畳みミシン線から折り畳むことで巻き折り加工を行なうことができ、更に、申し込みを行なう場合に、申込記入用紙を切り取って、申込記入用紙の封筒部に封入することで申込記入用紙を封書化することができ、直ぐに郵送するだけでよいので、誰でも簡単に気軽に申し込みを行なうことができるという効果がある。
【発明を実施するための最良の形態】
【０００８】
以下、本発明の実施形態に係る巻き折り用申込用紙を図面に基づいて詳細に説明する。
図１は、本発明の実施形態に係る巻き折り用申込用紙の平面図、図２は、図１のＡ−Ａ線断面図、図３は、図１のＢ−Ｂ線断面図、図４は、本発明の実施形態に係る巻き折り用申込用紙から封筒用紙を剥離させた状態を示す平面図が示されている。
図１から図４に示すように、実施形態に係る巻き折り用申込用紙１は、帯状の申込記入用紙２と、封筒用紙３とが、それらの端部同士で重ね合わされ、それらの端部にライン状に塗布された接着剤４により接着され一体化されている。
【０００９】
申込記入用紙２は、巻き折り方向に対し直角方向に複数本の折り畳みミシン線５ａ，５ｂが形成され、これらの折り畳みミシン線５ａ，５ｂで区画された３つの紙片２ａ，２ｂ，２ｃが連接している。
その複数本形成された折り畳みミシン線５ａ，５ｂの間隔は、申込記入用紙２を折り畳みミシン線５ａ，５ｂから巻き折り可能な間隔を有している。
【００１０】
つまり、申込記入用紙２を折り畳みミシン線５ａ，５ｂから巻き折りした場合に、折り畳みミシン線５ａ，５ｂで区画されている申込記入用紙２の各紙片の横幅寸法が同一寸法であると、申込記入用紙２を折り畳みミシン線５ａ，５ｂから巻き折りした際に、内側に巻き込まれる紙片が平面状態で収まりきれない場合があるために、折り畳みミシン線５ａ，５ｂで区画されている申込記入用紙２の各紙片の横幅寸法を、右側方向に行くほど順次に、例えば１mm〜２mm程幅寸法が長くなるように形成されている。
また、申込記入用紙２の表面や裏面には、図示されていないが、予め申込記入欄や説明事項などが印刷されており、申込記入欄などに申込者が記入できるようにしてある。
【００１１】
封筒用紙３には、巻き折り方向に対し直角方向に複数本の折り畳みミシン線６ａ，６ｂが形成され、これらの折り畳みミシン線６ａ，６ｂで区画された２つの紙片３ａ，３ｂが連接している。
また、封筒用紙３には、折り畳み用ミシン線７も形成されている。
図４に示すように、封筒用紙３の折り畳みミシン線６ｂで区分けされた最端部の紙片３ａ上には、封筒用紙１０が重ね合わされており、この最端部の紙片３ａの三方端部付近にコ字状に塗布された接着剤９により、紙片３ａと封筒用紙１０とが接着されて一辺が開封された封筒部１３が形成されている。
【００１２】
折り畳みミシン線６ｂと折り畳み用ミシン線７の間の部分には、縦方向にライン状の粘着剤層１１が設けられ、その粘着剤層１１上には、剥離紙１２が剥離可能に貼付されている。
これにより、封筒部１３を折り畳みミシン線６ｂから切り取った後に、剥離紙１２を剥離させて折り畳みミシン線６ｂから紙片３ａの左側の一部を折り畳み、粘着剤層１１に紙片３ａの左側の一部を押し付けて貼り付けることで、封筒部１３の開封側を閉じて密封状態にすることができる。
また、図１に示す封筒用紙３の最端部の紙片３ａの裏面側に、予め、宛先情報が印刷されている。
【００１３】
次に、巻き折り用申込用紙１の使用方法を説明する。
例えば、図１に示す巻き折り用申込用紙１において、申込記入用紙２の２つの紙片２ａ，２ｂを申込用紙として使用した場合について説明する。
巻き折り用申込用紙１の利用者は、申込用紙である紙片２ａ，２ｂに申込みに必要な事項の記入を行なった後、折り畳みミシン線５ｂから申込記入用紙２の切り取りを行なう。
また、封筒用紙３の封筒部１３を折り畳みミシン線６ｂから切り取る。
【００１４】
そして、図５に示すように、紙片２ａ，２ｂを折り畳みミシン線５ａから折り畳んだ状態にして、封筒用紙３の封筒部１３の開封側から２つ折りした紙片２ａ，２ｂを封入させる。
次に、剥離紙１２を剥離させた後、折り畳み用ミシン線７から紙片３ａの左側の一部を折り畳み、ライン状に設けられた粘着剤層１１により密封状態にする。
紙片２ａ，２ｂは、封筒用紙３の封筒部１３に封入させることを前提として寸法が設定されているので、予め、封筒用紙３の縦寸法よりも紙片２ａ，２ｂの縦寸法を封入可能な短い寸法として形成されているので、簡単に封入作業を行なうことができる。
【００１５】
尚、上記の巻き折り用申込用紙１の実施形態では、３つに折り畳む帯状の申込記入用紙２と、２つに折り畳む封筒用紙３とが連接されている場合について説明したが、本発明の巻き折り用申込用紙は、申込記入用紙２及び封筒用紙３の折り畳み回数を自由に設定することができる。
また、申込記入用紙２及び封筒用紙３の長さ寸法についても、自由に定めることができる。
【００１６】
例えば、図７には、他実施形態の巻き折り用申込用紙２０が示されている。
この巻き折り用申込用紙２０では、４つに折り畳む帯状の申込記入用紙２と、３つに折り畳むための封筒用紙３とが連接されている場合が示されている。
申込記入用紙２には、３つの折り畳みミシン線が形成され、また、封筒用紙３にも２つの折り畳みミシン線がそれぞれ形成されている。
申込記入用紙２と封筒用紙３は、これらの折り畳みミシン線から折り畳まれることで巻き折り状態にすることができる。
【００１７】
上記のように、本発明の巻き折り用申込用紙では、巻き折りして接着して簡単に申し込み用の封書を作成できるので、申込者が気軽に申し込みを行なえるように構成されている。
【図面の簡単な説明】
【００１８】
【図１】本発明の実施形態に係る巻き折り用申込用紙の平面図である。
【図２】図１のＡ−Ａ線断面図である。
【図３】図１のＢ−Ｂ線断面図である。
【図４】本発明の実施形態に係る巻き折り用申込用紙から封筒用紙を剥離させた状態を示す平面図である。
【図５】本発明の実施形態に係る巻き折り用申込用紙を使用する場合を説明するための斜視図である。
【図６】本発明の実施形態に係る巻き折り用申込用紙を使用して、封筒を作成した状態を示す斜視図である。
【図７】本発明の他の実施形態に係る巻き折り用申込用紙を説明する図である。
【図８】従来の巻き折り用申込用紙の一例を示す図である。
【符号の説明】
【００１９】
１，２０  巻き折り用申込用紙
２  申込記入用紙
２ａ，２ｂ，２ｃ，３ａ，３ｂ  紙片
３，１０  封筒用紙
４，９  接着剤
５ａ，５ｂ，６ａ，６ｂ，７  折り畳みミシン線
１１  粘着剤層
１２  剥離紙
１３  封筒部
３０  従来の巻き折り加工用紙
【図１】
2009269264.tif 000003
【図２】
2009269264.tif 000004
【図３】
2009269264.tif 000005
【図４】
2009269264.tif 000006
【図５】
2009269264.tif 000007
【図６】
2009269264.tif 000008
【図７】
2009269264.tif 000009
【図８】
2009269264.tif 000010